(57)【要約】【課題】エネルギーに基づく治療システムを提供する。【解決手段】第１の治療システムは、エネルギーに基づくクランプ凝結装置と音響インピーダンス測定器と力測定器とを含む。第２の治療システムは、締付けた患者組織の電気インピーダンスを測定するための電気インピーダンス測定電極を含むか、あるいはその測定電極として機能するように構成されたクランプ部材を有するエネルギーに基づくクランプ凝結装置を含む。第３の治療システムは、締付けた患者組織の温度を測定するための温度センサーを含むか、あるいはその温度センサーとして機能するように構成されたクランプ部材を有するエネルギーに基づくクランプ凝結装置を含む。【選択図】図２
2007229454.tif 000002
【特許請求の範囲】
【請求項１】
治療のための方法において、
ａ）エネルギーに基づくクランプ凝結装置を得るステップと、
ｂ）前記エネルギーに基づくクランプ凝結装置を用いて締付け力を患者組織に加えるステップと、
ｃ）前記エネルギーに基づくクランプ凝結装置を用いて前記患者組織の凝結を開始するステップと、
ｄ）前記締付け力を測定するステップと、
ｅ）前記患者組織の音響インピーダンスを測定するステップと、
ｆ）締付け圧力について前記患者組織の測定された前記音響インピーダンスを少なくとも測定された前記締付け力を使って補償するステップと、
ｇ）少なくとも、測定され補償された前記音響インピーダンスを使って前記患者組織の前記凝結をモニターするステップと、
を含む、方法。
【請求項２】
エネルギーに基づく治療システムにおいて、
ａ）患者組織を締付けるように構成されたエネルギーに基づくクランプ凝結装置と、
ｂ）前記エネルギーに基づくクランプ凝結装置と動作可能に連結されており、締付けられた前記患者組織の音響インピーダンスを測定する、音響インピーダンス測定器と、
ｃ）前記エネルギーに基づくクランプ凝結装置と動作可能に連結されており、締付けられた前記患者組織に対する締付け力を測定する、力測定器と、
を具備する、システム。
【請求項３】
請求項２に記載のエネルギーに基づく治療システムにおいて、
少なくとも測定された前記締付け力を使って締付け圧力について前記患者組織の測定された前記音響インピーダンスを補償するコントローラー、
をさらに具備する、システム。
【請求項４】
請求項３に記載のエネルギーに基づく治療システムにおいて、
前記コントローラーは、少なくとも、測定され補償された前記音響インピーダンスを使って前記患者組織の凝結もモニターする、システム。
【請求項５】
請求項４に記載のエネルギーに基づく治療システムにおいて、
前記コントローラーは、モニターされる前記患者組織の前記凝結に基づいて、発電機の出力を制御し、
前記出力は、前記エネルギーに基づくクランプ凝結装置に動力を供給する、
システム。
【請求項６】
請求項４に記載のエネルギーに基づく治療システムにおいて、
前記コントローラーは、前記エネルギーに基づくクランプ凝結装置の使用者にモニターされている前記患者組織の前記凝結を示すビジュアルおよび／あるいはオーディオインジケータを制御する、システム。
【請求項７】
エネルギーに基づく治療システムにおいて、
二つのクランプ部材を有するエネルギーに基づく凝結装置であって、前記二つのクランプ部材の間で締付けられた患者組織を凝結するように構成された、エネルギーに基づく凝結装置、
を具備し、
前記二つのクランプ部材の少なくとも一方が、締付けられた前記患者組織の電気インピーダンスを測定するための電気インピーダンス測定電極を含むか、あるいは当該測定電極として機能するように構成されている、
システム。
【請求項８】
エネルギーに基づく治療システムにおいて、
二つのクランプ部材を有するエネルギーに基づく凝結装置であって、前記二つのクランプ部材の間で締付けられた患者組織を凝結するように構成された、エネルギーに基づく凝結装置、
を具備し、
前記二つのクランプ部材の少なくとも一方が、締付けられた前記患者組織の温度を測定するための温度センサーを含むか、あるいは当該温度センサーとして機能するように構成されている、
システム。
【発明の詳細な説明】
【開示の内容】
【０００１】
〔発明の分野〕
本発明は一般的に治療システムおよび方法に関し、特にエネルギーに基づく(energy-based)治療システムおよびエネルギーに基づく治療方法に関する。
【０００２】
〔発明の背景〕
超音波外科用ブレードを有する超音波外科用大鋏(shears)の形のクランプ凝結装置(clamp coagulator)と、ブレードに対して開閉操作ができるクランピングアーム(clamping arm)と、クランピングアームに取付けられた組織パッド(tissue pad)と、組織パッドの締付け面領域(clamping surface area)とブレードとの間に配される血管に締付け圧力（clamping pressure）をかけるクランピングアームに、締付け力(clamping force)を与える装置と、を含むエネルギーに基づく治療システムが知られている。超音波外科ブレードの超音波振動および血管への締付け圧力により、血管の癒合（血管壁がくっ付くこと(bringing together of the walls of the blood vessel)）、癒合した血管の切開（切断）、および癒合した血管の切断端部の凝結（閉じること(sealing)）がおこなわれる。RF（無線周波数）クランプ凝結装置の形のエネルギーに基づく治療システムも知られている。
【０００３】
科学者達や技術者達は、エネルギーに基づく治療システムの改良およびエネルギーに基づく治療方法の改良を依然求めつづけている。
【０００４】
〔発明の概要〕
本発明の方法は、治療方法であり、ステップａ）〜ｇ）を含む。ステップａ）は、エネルギーに基づくクランプ凝結装置を得ることを含む。ステップｂ）は、エネルギーに基づくクランプ凝結装置を使って患者組織（patient tissue）に締付け力を加えることを含む。ステップｃ）は、エネルギーに基づくクランプ凝結装置を使って患者組織の凝結を開始することを含む。ステップｄ）は、締付け力を測定することを含む。ステップｅ）は、患者組織の音響インピーダンスを測定することを含む。ステップｆ）は、少なくとも測定した締付け力を使って、締付け圧力について患者組織の測定された音響インピーダンスを補償することを含む。ステップｇ）は、少なくとも、測定され補償された音響インピーダンスを使って患者組織の凝結をモニターすることを含む。
【０００５】
本発明の第１実施例は、エネルギーに基づくクランプ凝結装置と、音響インピーダンス測定器と、力測定器とを含むエネルギーに基づく治療システムに対するものである。エネルギーに基づくクランプ凝結装置は、患者組織を締付けるように構成されている。音響インピーダンス測定器は、エネルギーに基づくクランプ凝結装置に動作可能に連結され、締付けられた患者組織の音響インピーダンスを測定する。力測定器は、エネルギーに基づくクランプ凝結装置に動作可能に連結され、締付けられた患者組織に対する締付け力を測定する。
【０００６】
本発明の第２実施例は、二つの締付け部材を有し、それら二つの締付け部材の間で締付けられた患者組織を凝結するように構成されたエネルギーに基づくクランプ凝結装置を含む、エネルギーに基づく治療システムに対するものであり、上記二つの締付け部材は、締付けられた患者組織の電気インピーダンスを測定するための電気インピーダンス測定電極を含むか、あるいはそのような電気インピーダンス測定電極として機能するよう構成されている。
【０００７】
本発明の第３実施例は、二つの締付け部材を有し、それら二つの締付け部材の間で締付けられた患者組織を凝結するように構成されたエネルギーに基づくクランプ凝結装置を含む、エネルギーに基づく治療システムに対するものであり、上記二つの締付け部材の少なくとも一つは、締付けられた患者組織の温度を測定するための温度センサーを含むか、あるいはそのような温度センサーとして機能するよう構成されている。
【０００８】
本発明の一つあるいは複数の方法および実施例から幾つかの利益および利点が得られる。一例においては、患者組織の凝結をモニターすることにより、その凝結が目標以外の組織に及ぶことなく、またエネルギーが目標組織を更に乾燥させたりあるいは損傷したりすることなく目標とする組織の凝結が終了したときに、コントローラーが、エネルギーに基づくクランプ凝結装置をオフにすることができるか、あるいはクランプ凝結装置をオフにするよう使用者に指示するインジケータを作動させることができる。
【０００９】
本発明は、真直ぐの、あるいは湾曲した超音波外科用ブレード（使用するエネルギーが超音波の場合）と共に制限なく適用でき、さらにロボット援用器具ばかりでなく手動の器具にも適用できる。
【００１０】
〔発明の詳細な説明〕
発明の詳細の説明に先立って、本発明はその適用あるいは使用において添付図面および説明に例示された構成および部品の配置の詳細に限定されないことを理解すべきである。本発明の例示の実施例は、他の実施例、変更および変形において実施することができ、あるいはそれらに組込むことができ、また様々な方法で実行あるいは実施できる。さらに、特に断らない限り、本明細書に用いた用語および表現は、読む人の便宜を考えて本発明の実施例を説明する目的で選んだもので、本発明を限定するためのものではない。
【００１１】
以下に述べる実施例、例などのいずれか一つあるいは複数は、以下に述べる他の実施例、例などのいずれか一つあるいは複数のものと組み合わせることができることが理解される。
【００１２】
同じ参照符号は同じ要素を示す、図面を参照すると、図１は本発明の方法を示すもので、図２〜図３はその方法を実施するための装置の一例としてエネルギーに基づく治療システム１０の実施例を示す。本方法は治療のためのものであり、ステップａ）〜ｇ）を含む。ステップａ）は、図１のブロック１２に「クランプ凝結装置を得る」と標記されている。ステップａ）は、エネルギーに基づくクランプ凝結装置１４を得ることを含む。ステップｂ）は、図１のブロック１６に「締付け力を加える」と標記されている。ステップｂ）は、エネルギーに基づくクランプ凝結装置１４を使って患者組織１８に締付け力を加えることを含む。ステップｃ）は、図１のブロック２０に「患者組織の凝結を開始する」と標記されている。ステップｃ）は、エネルギーに基づくクランプ凝結装置１４を使って患者組織１８の凝結を開始することを含む。ステップｄ）は、図１のブロック２２に「締付け力を測定する」と標記されている。ステップｄ）は、締付け力を測定することを含む。ステップｅ）は、図１のブロック２４に「音響インピーダンスを測定する」と標記されている。ステップｅ）は、患者組織１８の音響インピーダンスを測定することを含む。ステップｆ）は、図１のブロック２６に「測定インピーダンスを補償する」と標記されている。ステップｆ）は、患者組織１８の測定した音響インピーダンスを、締付け圧力について、少なくとも測定した締付け力を使って補償することを含む。ステップｇ）は、図１のブロック２８に「凝結をモニターする」と標記されている。ステップｇ）は、少なくとも測定され補償された音響インピーダンスを使って患者組織１８の凝結をモニターすることを含む。
【００１３】
本発明方法の一例証として、エネルギーに基づくクランプ凝結装置１４は発電機３０の出力により電力が供給される。この例証では、本発明方法は、モニターしている患者組織１８の凝結に基づいて出力を調節するステップも含んでいる。一変形例では、モニターしている凝結が終わりに近づくにつれ出力を調節して低下させ、モニターした凝結が終了したときに発電機３０をオフにする。他の例証では、本発明方法は、患者組織１８のモニターされている凝結を（視覚的合図および／あるいは音声の合図および／あるいは他の合図などにより）エネルギーに基づくクランプ凝結装置１４の使用者に知らせる（凝結が終了したときにエネルギーに基づくクランプ凝結装置１４への動力を使用者がオフにできるように知らせるなど）ステップをさらに含む。
【００１４】
本発明方法の一適用例においては、エネルギーに基づくクランプ凝結装置１４は超音波ブレード３４、およびクランプアーム３６（クランプアームの組織パッドは明確にするため図３では省略）を有する超音波外科鋏３２である。図示していない他の適用例では、エネルギーに基づくクランプ凝結装置は、モノポーラ電極あるいはバイポーラ電極を有するRF（無線周波数）クランプ凝結装置である。一変形例では、そのRFクランプ凝結装置は二つのクランプ部材を有し、各クランプ部材は、電流をそれら二つのクランプ部材間に流すためのバイポーラ電極を支持するか、あるいはバイポーラ電極として機能するように構成されている。
【００１５】
本発明の第１の実施例は、エネルギーに基づく治療システム１０に対するものであり、図２〜図３に示されている。エネルギーに基づく治療システム１０は、エネルギーに基づくクランプ凝結装置１４と、音響インピーダンス測定器３８と、力測定器４０とを含む。エネルギーに基づくクランプ凝結装置１４は、患者組織１８を締付けるように構成されている。音響インピーダンス測定器３８は、エネルギーに基づくクランプ凝結装置１４に動作可能に連結され、締付けられた患者組織１８の音響インピーダンスを測定する。力測定器４０は、エネルギーに基づくクランプ凝結装置１４に動作可能に連結され、締付けられた患者組織１８に加えられている締付け力を測定する。
【００１６】
図２〜図３の実施例の実施において、音響インピーダンス測定器３８は、発電機３０の出力を治療中に測定し、発電機３０から流れる電流を測定し、また音響インピーダンスは発電機３０による電気量とみなされるので、測定した出力を測定した電流の自乗で割る、回路構成要素（circuitry）（図示せず）を含む。これと同じあるいは他の実施において、力測定器４０は、エネルギーに基づくクランプ凝結装置１４が患者組織１８に締付け力を加えるようにエネルギーに基づくクランプ凝結装置１４のクランプ機構に使用者あるいはモータが加える力（手動で駆動されるクランプアームの場合には手動で加える力、あるいはモータ駆動のクランプアームの場合にはモータで加える力[トルクは回転力と考えられる]）を測定する力変換器（図示せず）と、測定した手動あるいはモータで加えた力を測定された締付け力に変換する回路構成要素(図示せず）と、を含む。音響インピーダンス測定器および力測定器の他の実施は当業者の任意である。
【００１７】
図２〜図３のシステムの実施例の実施可能化（enablement）において、エネルギーに基づく治療システム１０は、少なくとも測定した締付け力を使って患者組織１８の音響インピーダンス測定値を締付け圧力について補償(即ち、補正）するコントローラー４２をさらに含む。測定された音響インピーダンスは締付け力が強くなるのに伴って増加し、また音響インピーダンスの測定値の締付け圧力についてのこのような補償は実験によりおよび／あるいは数学的に当業者により求めることができ、その補償は、数表、ソフトウェアアルゴリズム、および／あるいは測定された音響インピーダンスの数値と測定された締付け力の数値について補償された音響インピーダンス測定値の数値をもたらす回路構成要素により実行できることに注意されたい。
【００１８】
上記実施可能化の一変更例では、コントローラー４２も、少なくとも測定され補償された音響インピーダンスを使って患者組織１８の凝結（即ち、凝結度あるいは凝結状態（degree or state of coagulation））をモニターする。或る利用例では、測定され補償された音響インピーダンスが実験によるおよび／あるいは数学的に求めた上限値に達したとき、あるいはインピーダンス対時間のグラフの形状が所定の形状に達したときに、凝結が完了したとみなされる。第１の構成において、コントローラー４２は、モニターしている患者組織１８の凝結に基づいて発電機３０の出力を制御し、この出力は、エネルギーに基づくクランプ凝結装置１４に電力を供給する。第２の構成においては、コントローラー４２は、エネルギーに基づくクランプ凝結装置１４の使用者に、モニターされる患者組織１８の凝結を知らせる、ビジュアルおよび／あるいはオーディオインジケータ４４（一例では、このインジケータは発光するか、あるいは音を出す）を制御する。
【００１９】
図２〜図３の実施例のある配備では、エネルギーに基づくクランプ凝結装置１４は、超音波ブレード３４およびクランプアーム３６を有する超音波外科鋏３２である。一変型例では、力測定器４０は、クランプアーム３６に加わる力を測定するように構成されている。図示していない別の例では、エネルギーに基づくクランプ凝結装置はモノポーラ電極あるいはバイポーラ電極を有するRF（無線周波数）クランプ凝結装置である。
【００２０】
本発明の第２の実施例は、エネルギーに基づく治療システム４６であり、図４〜図５に示されている。エネルギーに基づく治療システム４６は、エネルギーに基づくクランプ凝結装置４８を含む。エネルギーに基づくクランプ凝結装置４８は、二つのクランプ部材５０と５２を有し、その二つのクランプ部材５０と５２のうち少なくとも一方の部材５０は、締付けられた患者組織５６の電気インピーダンスを測定するための電気インピーダンス測定電極５４を含むか、あるいは電気インピーダンス測定電極５４として機能するように構成されている。
【００２１】
図４〜図５の実施例の一例において、クランプ部材５０と５２のうちの他方の部材５２も、電気インピーダンス測定電極５８を含み、小さな検出電流が二つの電極５４と５８との間を流れ、当業者の技術の範囲内であるが、その電流を使って締付けられた患者組織５６の電気インピーダンスを測定する。図示していない他の例では、一つのクランプ部材が二つの電極を有していて、小さな検出電流がその二つの電極間に流れる。
【００２２】
図４〜図５の実施例の或る実施可能化において、エネルギーに基づく治療システム４６は、少なくとも電気インピーダンス測定電極５４を用いることで得られる締付けられた患者組織５６の、少なくとも測定電気インピーダンスを使ってその組織５６の凝結（即ち、凝結度あるいは凝結状態）をモニターする（コントローラー４２と類似しており、そのコントローラー４２の制御機能が加わったコントローラーのような）モニター６０を含む。一変型例では、患者組織５６の電気インピーダンスは、凝結度を示すひとつの基準として用いられる。患者組織５６が、エネルギーに基づくクランプ凝結装置４８により加熱されることによって凝結するにつれて、凝結する患者組織５６の電流を導通する力が減少し、その結果患者組織５６の電気インピーダンスが増加する。別の変型例では、電気インピーダンス対時間の曲線の形状を利用して組織の凝結状態を判定する。
【００２３】
図４〜図５の実施例のある配備では、エネルギーに基づくクランプ凝結装置４６は、（図示していない発電機により電力が供給される）超音波ブレード６４、およびクランプアーム６６を有する超音波外科鋏６２である。この配備では、二つのクランプ部材５０および５２の一方の部材５０が、超音波ブレード６４を含み、二つのクランプ部材５０および５２の他方の部材５２が、クランプアーム６６を含む。図示していない他の例では、エネルギーに基づくクランプ凝結装置は、モノポーラ電極あるいはバイポーラ電極を有するRF(無線周波数）クランプ凝結装置である。
【００２４】
本発明の第３の実施例は、エネルギーに基づく治療システム６８であり、図６〜図７に示されている。エネルギーに基づく治療システム６８は、エネルギーに基づくクランプ凝結装置７０を含む。エネルギーに基づくクランプ凝結装置７０は、二つのクランプ部材７２および７４を有し、その二つのクランプ部材７２および７４の少なくとも一方の部材７２は、締付けられた患者組織７８の温度を測定するための温度センサー７６を含むか、あるいは温度センサー７６として機能するように構成されている。
【００２５】
図６〜図７の実施例の実施可能化において、エネルギーに基づく治療システム６８は、少なくとも温度センサー７６を用いることで得られる締付けられた患者組織７８の、少なくとも測定温度を使ってその組織７８の凝結（即ち、凝結度あるいは凝結状態）をモニターする（コントローラー４２に類似しており、そのコントローラー４２の制御機能が加えられたコントローラーのような）モニター８０を含む。患者組織７８の温度が凝結度を示すひとつの基準であることに注意されたい。患者組織７８が、エネルギーに基づくクランプ凝結装置７０により加熱されることによって凝結するにつれて、組織はまず変性し凝結して、次いで乾燥し組織の温度が上昇する。
【００２６】
図６〜図７の実施例のある配備では、エネルギーに基づくクランプ凝結装置６８は、（図示していない発電機により電力が供給される）超音波ブレード８４、およびクランプアーム８６を有する超音波外科鋏８２である。この配備では、二つのクランプ部材７２および７４の一方の部材７２が、クランプアーム８６を含み、二つのクランプ部材７２および７４の他方７４が、超音波ブレード８４を含むことに注意されたい。図示していない他の配備では、エネルギーに基づくクランプ凝結装置は、モノポーラ電極あるいはバイポーラ電極を有するRF(無線周波数）クランプ凝結装置である。
【００２７】
本発明の一つあるいは複数の方法および実施例から幾つかの利益および利点が得られる。一例においては、患者組織の凝結をモニターすることにより、その凝結が目標以外の組織に及ぶことなく、またエネルギーが目標組織を更に乾燥させたりあるいは損傷したりすることなく組織の凝結が終了したときに、コントローラーが、エネルギーに基づくクランプ凝結装置をオフにすることができるか、あるいはエネルギーに基づくクランプ凝結装置をオフにするよう使用者に指示するインジケータを作動させることができる。
【００２８】
本発明をその幾つかの実施例および方法について説明したが、添付の特許請求の範囲の精神および範囲をその説明の詳細に制限または限定することは出願人の意図するところではない。数多くの他の変型、変更および置換えを、当業者は本発明の範囲を逸脱することなく思い付くであろう。例えば、本発明のエネルギーに基づく治療システムは、システム、構成要素および方法の、ロボットシステムに適合するような明白な変更を考慮することでロボット援用手術に適用できる。当然のことながら、前述の記載は発明の例示であり、添付の特許請求の範囲の範囲および精神から逸脱することなく、他の変更を当業者は思い付くであろう。
【００２９】
〔実施の態様〕
（１）治療のための方法において、
ａ）エネルギーに基づくクランプ凝結装置を得るステップと、
ｂ）前記エネルギーに基づくクランプ凝結装置を用いて締付け力を患者組織に加えるステップと、
ｃ）前記エネルギーに基づくクランプ凝結装置を用いて前記患者組織の凝結を開始するステップと、
ｄ）前記締付け力を測定するステップと、
ｅ）前記患者組織の音響インピーダンスを測定するステップと、
ｆ）締付け圧力について前記患者組織の測定された前記音響インピーダンスを少なくとも測定された前記締付け力を使って補償するステップと、
ｇ）少なくとも、測定され補償された前記音響インピーダンスを使って前記患者組織の前記凝結をモニターするステップと、
を含む、方法。
（２）実施の態様１に記載の方法において、
前記エネルギーに基づくクランプ凝結装置は、発電機の出力により動力を供給され、
前記方法は、
前記患者組織のモニターされている前記凝結に基づいて前記出力を調整するステップ、
をさらに含む、方法。
（３）実施の態様１に記載の方法において、
前記エネルギーに基づくクランプ凝結装置の使用者に前記患者組織のモニターされている前記凝結を知らせるステップ、
をさらに含む、方法。
（４）実施の態様１に記載の方法において、
前記エネルギーに基づくクランプ凝結装置は、超音波ブレード、およびクランプアームを有する超音波外科鋏である、方法。
（５）実施の態様１に記載の方法において、
前記エネルギーに基づくクランプ凝結装置は、RF（無線周波数）クランプ凝結装置である、方法。
（６）エネルギーに基づく治療システムにおいて、
ａ）患者組織を締付けるように構成されたエネルギーに基づくクランプ凝結装置と、
ｂ）前記エネルギーに基づくクランプ凝結装置と動作可能に連結されており、締付けられた前記患者組織の音響インピーダンスを測定する、音響インピーダンス測定器と、
ｃ）前記エネルギーに基づくクランプ凝結装置と動作可能に連結されており、締付けられた前記患者組織に対する締付け力を測定する力測定器と、
を具備する、システム。
（７）実施の態様６に記載のエネルギーに基づく治療システムにおいて、
少なくとも測定された前記締付け力を使って締付け圧力について（for clamp pressure）前記患者組織の測定された前記音響インピーダンスを補償するコントローラー、
をさらに具備する、システム。
（８）実施の態様７に記載のエネルギーに基づく治療システムにおいて、
前記コントローラーは、少なくとも、測定され補償された前記音響インピーダンスを使って前記患者組織の凝結もモニターする、システム。
（９）実施の態様８に記載のエネルギーに基づく治療システムにおいて、
前記コントローラーは、モニターしている前記患者組織の凝結に基づいて、発電機の出力を制御し、
前記出力は、前記エネルギーに基づくクランプ凝結装置に動力を供給する、
システム。
（１０）実施の態様８に記載のエネルギーに基づく治療システムにおいて、
前記コントローラーは、前記エネルギーに基づくクランプ凝結装置の使用者にモニターされている前記患者組織の前記凝結を示すビジュアルおよび／あるいはオーディオインジケータを制御する、システム。
（１１）実施の態様１０に記載のエネルギーに基づく治療システムにおいて、
前記エネルギーに基づくクランプ凝結装置は、超音波ブレード、およびクランプアームを有する超音波外科鋏である、システム。
（１２）実施の態様１１に記載のエネルギーに基づく治療システムにおいて、
前記力測定器は、前記クランプアームに加えられた力を測定するように構成されている、システム。
（１３）実施の態様６に記載のエネルギーに基づく治療システムにおいて、
前記エネルギーに基づくクランプ凝結装置は、超音波ブレード、およびクランプアームを有する超音波外科鋏である、システム。
（１４）実施の態様１３に記載のエネルギーに基づく治療システムにおいて、
前記力測定器は、前記クランプアームに加えられた力を測定するように構成されている、システム。
（１５）エネルギーに基づく治療システムにおいて、
二つのクランプ部材を有するエネルギーに基づく凝結装置であって、前記二つのクランプ部材の間で締付けられた患者組織を凝結するように構成された、エネルギーに基づく凝結装置、
を具備し、
前記二つのクランプ部材の少なくとも一方が、締付けられた前記患者組織の電気インピーダンスを測定するための電気インピーダンス測定電極を含むか、あるいは当該測定電極として機能するように構成されている、
システム。
（１６）実施の態様１５に記載のエネルギーに基づく治療システムにおいて、
少なくとも前記電気インピーダンス測定電極を用いることにより得られる、締め付けられた前記患者組織の測定された前記電気インピーダンスを少なくとも使って締付けられた前記患者組織の凝結をモニターするモニター、
をさらに具備する、システム。
（１７）実施の態様１６に記載のエネルギーに基づく治療システムにおいて、
前記エネルギーに基づくクランプ凝結装置は、超音波ブレード、およびクランプアームを有する超音波外科鋏であり、
前記二つのクランプ部材の一方は、前記超音波ブレードを含み、
前記二つのクランプ部材の他方は、前記クランプアームを含む、
システム。
（１８）エネルギーに基づく治療システムにおいて、
二つのクランプ部材を有するエネルギーに基づく凝結装置であって、前記二つのクランプ部材の間で締付けられた患者組織を凝結するように構成された、エネルギーに基づく凝結装置、
を具備し、
前記二つのクランプ部材の少なくとも一方が、締付けられた前記患者組織の温度を測定するための温度センサーを含むか、あるいは当該温度センサーとして機能するように構成されている、
システム。
（１９）実施の態様１８に記載のエネルギーに基づく治療システムにおいて、
少なくとも前記温度センサーを用いることにより得られる、締付けられた前記患者組織の測定された前記温度を少なくとも使って締付けられた前記患者組織の凝結をモニターするモニター、
をさらに具備する、システム。
（２０）実施の態様１９に記載のエネルギーに基づく治療システムにおいて、
前記エネルギーに基づくクランプ凝結装置は、超音波ブレード、およびクランプアームを有する超音波外科鋏であり、
前記二つのクランプ部材の一方は、前記クランプアームを含み、
前記二つのクランプ部材の他方は、前記超音波ブレードを含む、
システム。
【図面の簡単な説明】
【００３０】
【図１】本発明の方法のブロック図。
【図２】エネルギーに基づくクランプ凝結装置、音響インピーダンス測定器、および力測定器を含む、本発明のエネルギーに基づく治療システムの第１実施例の概略的ブロック図。
【図３】図２のエネルギーに基づくクランプ凝結装置の概略的側面図。
【図４】電気インピーダンス測定電極を含むか、あるいは電気インピーダンス測定電極として機能するように構成された二つのクランプ部材を有するエネルギーに基づくクランプ凝結装置を含む、本発明のエネルギーに基づく治療システムの第２実施例の概略的ブロック図。
【図５】図４のエネルギーに基づくクランプ凝結装置の概略的側面図。
【図６】二つのクランプ部材を有し、その少なくとも一つが温度センサーを含むか、あるいは温度センサーとして機能するように構成された、エネルギーに基づくクランプ凝結装置を含む、本発明のエネルギーに基づく治療システムの第３実施例の概略的ブロック図。
【図７】図６のエネルギーに基づくクランプ凝結装置の概略的側面図。
【図１】
2007229454.tif 000003
【図２】
2007229454.tif 000004
【図３】
2007229454.tif 000005
【図４】
2007229454.tif 000006
【図５】
2007229454.tif 000007
【図６】
2007229454.tif 000008
【図７】
2007229454.tif 000009
【外国語明細書】
2007229454000001.pdf